【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
基板上に設けられた複数の第１電極と、
前記複数の第１電極の間に配置された１つの酸化シリコン膜と、
前記複数の第１電極と第２電極に挟持された複数の発光層と、
前記第２電極と電気的に接続されている取り出し配線とを有し、
前記第２電極と前記取り出し配線とは、前記酸化シリコン膜上に設けられた接続部位で電気的に接続されていることを特徴とする有機エレクトロルミネッセンス装置。
【請求項２】
第1電極と第２電極に挟持された発光層と、
前記第２電極と電気的に接続される取出し配線と、
前記取り出し配線と前記第１電極に挟持される酸化シリコン膜を有することを特徴とする有機エレクトロルミネッセンス装置。
【請求項３】
基板上に設けられた第1電極と、
前記複数の第１電極と第２電極に挟持された複数の発光層と、
前記複数の発光層を仕切るように配置された複数の隔壁と、
前記複数の隔壁の間に配置され前記第２電極と電気的に接続される取出し配線とを有し、
前記取り出し配線と前記第１電極が異なる材料により形成されていることを特徴とする有機エレクトロルミネッセンス装置。
【請求項４】
基板上に設けられた２つの第１電極と、
前記２つの第１電極と第２電極に挟持された２つの発光層と、
前記２つの発光層を仕切るように配置された２つのの隔壁と、
前記２つの隔壁の間に配置され前記第２電極と電気的に接続される取出し配線とを少なくとも有し、
前記第取り出し配線と前記第１電極が異なる材料により形成されていることを特徴とする有機エレクトロルミネッセンス装置。
【請求項５】
基板上に形成された第１電極と第２電極に挟持された複数の発光層と、
前記第２電極と接続部位により電気的に接続されている取り出し配線とを有し、
前記接続部位は前記複数の発光層間に配置され、
基板周縁部には配置されていないことを特徴とする有機エレクトロルミネッセンス装置。
【請求項６】
第１電極と第２電極に挟持された複数の発光層と、
前記第２電極と接続部位で電気的に接続されている取り出し配線を有し、
前記接続部が前記複数の発光層に応じて分離して配置されていることを特徴とする有機エレクトロルミネッセンス装置。
【請求項７】
前記第１電極が画素電極であることを特徴とする請求項１乃至６のいずれか一項に記載の有機エレクトロルミネッセンス装置。
【請求項８】
前記取り出し配線は、前記発光層とは重ならないように配置されていることを特徴とする請求項１乃至６のいずれか一項に記載の有機エレクトロルミネッセンス装置。
【請求項９】
前記発光層は、複数に分割されて水平に分散して配置されており、
前記取り出し配線は、各発光層の間に配置されていることを特徴とする請求項１、２、５又は６のいずれか一項に記載の有機エレクトロルミネッセンス装置。
【請求項１０】
前記発光層を仕切る隔壁を更に有し、
前記隔壁が前記第２電極と前記取り出し配線とに挟持され、前記取り出し配線と一部が重なる様に配置されていることを特徴とする請求項１、２、５又は６のいずれか一項に記載の有機エレクトロルミネッセンス装置。
【請求項１１】
前記接続部位が、斜め方向に隣接して配置されている前記複数の発光層の角部との間に配置されていることを特徴とする請求項６に記載の有機エレクトロルミネッセンス装置。
【請求項１２】
前記発光層を仕切る隔壁が前記基板上に設けられており、
隣り合う前記発光層の間に、少なくとも２つの前記隔壁が設けられており、
前記少なくとも２つの隔壁の間に、前記取り出し配線の少なくとも一部が配置されていることを特徴とする請求項９に記載の有機エレクトロルミネッセンス装置。
【請求項１３】
前記少なくとも２つの前記隔壁の間に、前記取り出し配線と前記第２電極との接続部位が配置されていることを特徴とする請求項１２に記載の有機エレクトロルミネッセンス装置。
【請求項１４】
前記第２電極は、少なくとも、前記取り出し配線の少なくとも一部と前記発光層の上面を被うように設けられていることを特徴とする請求項１乃至６のいずれかに記載の有機エレクトロルミネッセンス装置。
【請求項１５】
前記第１電極は、陽極であり、
前記第２電極は、陰極であることを特徴とする請求項１乃至１４のいずれか一項に記載の有機エレクトロルミネッセンス装置。
【請求項１６】
前記第１電極は、陰極であり、
前記第２電極は、陽極であることを特徴とする請求項１乃至１４のいずれか一項に記載の有機エレクトロルミネッセンス装置。
【請求項１７】
第１電極と第２電極の間に発光層を有する有機エレクトロルミネッセンス装置の製造方法であって、
前記基板上に前記第１電極を形成する工程と、
前記第１電極上に酸化シリコン膜を形成する工程と、
前記酸化シリコン膜上に取り出し配線を形成する工程と、
前記発光層を前記第１電極の上に形成する工程と、
前記取り出し配線の少なくとも一部及び前記発光層を被うように、前記第２電極を形成工程を有することを特徴とする有機エレクトロルミネッセンス装置の製造方法。
【請求項１８】
前記酸化シリコン上に複数の隔壁を形成する工程を更に有し、
該隔壁で囲まれた領域に前記発光層を形成し、
前記取り出し配線の少なくとも一部と、前記隔壁と、前記発光層とを被うように、前記第２電極を形成することを特徴とする請求項１７に記載の有機エレクトロルミネッセンス装置の製造方法。
【請求項１９】
請求項１乃至１６のいずれか一項に記載の有機エレクトロルミネッセンス装置を備えたことを特徴とする電子機器。
【請求項２０】
請求項１６又は１７のいずれか一項に記載の製造方法で製造された有機エレクトロルミネッセンス装置を備えたことを特徴とする電子機器。
【手続補正２】
【補正対象書類名】明細書
【補正対象項目名】０００７
【補正方法】変更
【補正の内容】
【０００７】
【課題を解決するための手段】
上記した目的を達成するために、本発明の有機エレクトロルミネッセンス装置は、基板上に設けられた複数の第１電極と、前記複数の第１電極の間に配置された１つの酸化シリコン膜と、前記複数の第１電極と第２電極に挟持された複数の発光層と、前記第２電極と電気的に接続されている取り出し配線とを有し、
前記第２電極と前記取り出し配線とは、前記酸化シリコン膜上に設けられた接続部位で電気的に接続されていることを特徴とする。
また、第1電極と第２電極に挟持された発光層と、前記第２電極と電気的に接続される取出し配線と、前記取り出し配線と前記第１電極に挟持される酸化シリコン膜を有することを特徴とする。
また、基板上に設けられた第1電極と、前記複数の第１電極と第２電極に挟持された複数の発光層と、前記複数の発光層を仕切るように配置された複数の隔壁と、前記複数の隔壁の間に配置され前記第２電極と電気的に接続される取出し配線とを有し、前記取り出し配線と前記第１電極が異なる材料により形成されていることを特徴とする。
また、基板上に設けられた２つの第１電極と、前記２つの第１電極と第２電極に挟持された２つの発光層と、前記２つの発光層を仕切るように配置された２つのの隔壁と、前記２つの隔壁の間に配置され前記第２電極と電気的に接続される取出し配線とを少なくとも有し、前記第取り出し配線と前記第１電極が異なる材料により形成されていることを特徴とする。
また、基板上に形成された第１電極と第２電極に挟持された複数の発光層と、前記第２電極と接続部位により電気的に接続されている取り出し配線とを有し、前記接続部位は前記複数の発光層間に配置され、基板周縁部には配置されていないことを特徴とする。
また、第１電極と第２電極に挟持された複数の発光層と、前記第２電極と接続部位で電気的に接続されている取り出し配線を有し、前記接続部が前記複数の発光層に応じて分離して配置されていることを特徴とする。
また、本発明の有機エレクトロルミネッセンス装置は、第１電極と第２電極の間に発光層を有する有機エレクトロルミネッセンス素子が基板上に形成された有機エレクトロルミネッセンス装置において、前記第１電極又は第２電極と電気的に接続されている取り出し配線を有することを特徴とする。
このような発明によれば、第１電極又は第２電極に流れてきた電流を、取り出し配線を通して流すことができるので、従来の封止側発光型の有機ＥＬ装置において必要とされていた補助電極を設ける必要がなくなる。したがって、本発明によれば、有機ＥＬ装置全体をコンパクト化することができ、製造コストも低減化することができる。
また、本発明によれば、従来の基板側発光型の有機ＥＬ装置で生じていた問題であって、基板周囲に設ける陰極取り出し電極の面積が大きくなってしまうという問題を回避することができ、有機ＥＬ装置のコンパクト化及び製造コストの低減化をすることができる。
【手続補正３】
【補正対象書類名】明細書
【補正対象項目名】００１１
【補正方法】変更
【補正の内容】
【００１１】
また、本発明の有機エレクトロルミネッセンス装置は、前記発光層を仕切る隔壁を有し、前記隔壁が前記第２電極と前記取り出し配線とに挟持され、前記取り出し配線と一部が重なるように配置されていることが好ましい。
このような発明によれば、取り出し配線の一部を隔壁（バンク）の下に配置することにより、有機ＥＬ装置をコンパクト化することができる。
【手続補正４】
【補正対象書類名】明細書
【補正対象項目名】００１３
【補正方法】変更
【補正の内容】
【００１３】
また、本発明の有機エレクトロルミネッセンス装置は、前記少なくとも２つの前記隔壁の間に、前記取り出し配線と前記第１電極又は第２電極との接続部位が配置されていることが好ましい。
また、前記接続部位が、斜め方向に隣接して配置されている前記複数の発光層の角部との間に配置されていることが好ましい。
このような発明によれば、有機ＥＬ装置の製造工程を簡素化することができる
とともに、有機ＥＬ装置をコンパクト化することができる。
【手続補正５】
【補正対象書類名】明細書
【補正対象項目名】００２１
【補正方法】変更
【補正の内容】
【００２１】
また、本発明の有機エレクトロルミネッセンス装置の製造方法は、第１電極と第２電極の間に発光層を有する有機エレクトロルミネッセンス素子が基板上に形成された有機エレクトロルミネッセンス装置の製造方法において、前記基板上に前記第１電極を形成し、前記第１電極又は第２電極と電気的に接続される取り出し配線を形成し、前記発光層を前記第１電極の上に形成し、前記取り出し配線の少なくとも一部及び前記発光層を被うように、前記第２電極を形成することを特徴とする。
また、第１電極と第２電極の間に発光層を有する有機エレクトロルミネッセンス装置の製造方法であって、前記基板上に前記第１電極を形成する工程と、前記第１電極上に酸化シリコン膜を形成する工程と、前記酸化シリコン膜上に取り出し配線を形成する工程と、  前記発光層を前記第１電極の上に形成する工程と、前記取り出し配線の少なくとも一部及び前記発光層を被うように、前記第２電極を形成工程を有することを特徴とする。
このような発明によれば、第２電極を形成するときに、第２電極と取り出し配線の接続、及び第２電極と発光層との接続を行うことができるので、有機ＥＬ装置の製造工程を簡素化することができるとともに、有機ＥＬ装置をコンパクト化することができる。
【手続補正６】
【補正対象書類名】明細書
【補正対象項目名】００２４
【補正方法】変更
【補正の内容】
【００２４】
また、本発明の有機エレクトロルミネッセンス装置の製造方法は、前記取り出し配線を形成した後であって、前記発光層を形成する前に、前記基板上に複数の隔壁を形成し、該隔壁で囲まれた領域に前記発光層を形成し、前記取り出し配線の少なくとも一部と、前記隔壁と、前記発光層とを被うように、前記第２電極を形成することが好ましい。
また、前記酸化シリコン上に複数の隔壁を形成する工程を有し、該隔壁で囲まれた領域に前記発光層を形成し、前記取り出し配線の少なくとも一部と、前記隔壁と、前記発光層とを被うように、前記第２電極を形成することを特徴とする。
このような発明によれば、発光層を仕切る隔壁を設けることで、画素となる発光層を簡易にかつ精密に形成することができる。さらに、取り出し配線の少なくとも一部、隔壁及び発光層とを被うように第２電極を形成するので、第２電極と取り出し配線の接続及び第２電極と発光層との接続を略同時に行うことができ、有機ＥＬ装置の製造工程を簡素化することができるとともに、有機ＥＬ装置をコンパクト化することができる。